(57)【要約】【課題】  遊技機においてＩＣカードを利用したＩＣカード利用システムで、遊技者が、大当たり等の所定の好ましい状態の出現回数情報を容易に把握でき、該出現回数情報利用に関し店側の負担も必要としない情報把握システムを提供する。【解決手段】  遊技情報を把握する遊技機と、遊技機からその遊技情報を受け取るＩＣカードと、該ＩＣカードの遊技情報をＩＣカードからその記憶部に受け取り、あるいはＩＣカード自体をその記憶部として、該情報を表示する表示部を備えた表示機器とからなり、前記遊技機には、遊技における所定の状態の出現を検出する検出手段と、検出された前記遊技における所定の状態の出現状況情報を、その記録媒体内に保管する遊技情報記憶手段と、ＩＣカードリーダーライター（Ｒ／Ｗ）と、読み込み書き込みの時間的な指示を行う時間指示部とを備えている。【選択図】  図１
2006014968.tif 000002
【特許請求の範囲】
【請求項１】
遊技機においてＩＣカードを利用したＩＣカード利用システムであって、遊技情報を把握する遊技機と、遊技機からその遊技情報を受け取るＩＣカードと、該ＩＣカードの遊技情報をＩＣカードからその記憶部に受け取り、あるいはＩＣカード自体をその記憶部として、該情報を表示する表示部を備えた表示機器とを有し、前記遊技機には、遊技における所定の状態の出現を検出する検出手段と、検出された前記遊技における所定の状態の出現状況情報を、その記録媒体内に保管する遊技情報記憶手段と、ＩＣカードリーダーライター（Ｒ／Ｗ）と、読み込み書き込みの時間的な指示制御を行う時間指示部とを備えていることを特徴とする遊技機におけるＩＣカード利用システム。
【請求項２】
請求項１に記載の遊技機におけるＩＣカード利用システムであって、前記表示機器が、ＰＣ（パーソナルコンピュータ）、ＰＤＡ（Ｐｅｒｓｏｎａｌ  Ｄｉｇｉｔａｌ  Ａｓｓｉｓｔａｎｃｅ、携帯情報端末とも言う）、携帯電話のいずれか１であることを特徴とする遊技機におけるＩＣカード利用システム。
【請求項３】
遊技情報を把握し、得られた該遊技情報をＩＣカードのメモリに渡す遊技機であって、遊技における所定の状態の出現を検出する検出手段と、検出された前記遊技における所定の状態の出現状況情報を、その記録媒体内に保管する遊技情報記憶手段、ＩＣカードリーダーライター（Ｒ／Ｗ）と、読み込み書き込みの時間的な指示制御を行う時間指示部とを備えていることを特徴とする遊技機。
【発明の詳細な説明】
【技術分野】
【０００１】
本発明は、スロットマシン、パチンコ等の遊技機におけるＩＣカード利用システムに関し、特に、遊技機から遊技における所定の状態の出現状況情報をＩＣカード内に受け取り、更にこの情報を前記ＩＣカードからその記憶部に受け取り、該情報を表示できるＰＣ（パーソナルコンピュータ）、ＰＤＡ（Ｐｅｒｓｏｎａｌ  Ｄｉｇｉｔａｌ  Ａｓｓｉｓｔａｎｃｅ、携帯情報端末とも言う）、携帯電話等の表示機器にて該情報を確認するシステムに関する。
【背景技術】
【０００２】
従来、パチンコ機およびスロットマシンなどの遊技機においては、遊技機自体に遊技における大当たり等の所定の好ましい状態の出現状況を遊技者に知らせる物がついておらず、店側( ホール) が大当たり等の所定の好ましい状態の出現回数表示機、スランプグラフ表示機などをサービスの一つとして別途取り付けていることが多い。
そして、その表示機ではその日一日のデータしか取れず、個人の遊技データを見ることが困難であった。
近年、ＩＣカード等カード使用が盛んになるに伴い、例えば、特開平５−１５６５５号公報（特許文献１）には、表示部を備えたＩＣカードを用い、遊技経過に伴って獲得したパチンコ玉である持玉数を記録して、結果を表示するカードの利用方法が記載されている。
この場合、ＩＣカードは店側のもので退店時にカードを返却しなければならず、遊技データを持ち帰り、管理することができない。
また持ち玉数と残金の表示のみしか記録できない。
遊技者としてはゲーム時間や大当たりに至るまでの経緯等の情報も知りたいものである。
【特許文献１】特開平５−１５６５５号公報  一方、パチスロ機の中には筐体の中にパチスロ機自体がデータを表示するものもあるが、この場合、表示されたデータを取るためにはメモ帳等に遊技者事自身が記録を取らなければならない。
【発明の開示】
【発明が解決しようとする課題】
【０００３】
上記のように、スロットマシン、パチンコ等の遊技機においては、遊技者が、大当たり等の所定の好ましい状態の出現回数情報を容易に把握でき、該出現回数情報利用に関し店側の負担も必要としない情報把握方法がなく、この対応が求められていた。
本発明は、これに対応するもので、遊技機においてＩＣカードを利用したＩＣカード利用システムで、遊技者が、大当たり等の所定の好ましい状態の出現回数情報を容易に把握でき、該出現回数情報利用に関し店側の負担も必要としない情報把握システムを提供しようとするものである。
【課題を解決するための手段】
【０００４】
本発明の遊技機におけるＩＣカード利用システムは、遊技機においてＩＣカードを利用したＩＣカード利用システムであって、遊技情報を把握する遊技機と、遊技機からその遊技情報を受け取るＩＣカードと、該ＩＣカードの遊技情報をＩＣカードからその記憶部に受け取り、あるいはＩＣカード自体をその記憶部として、該情報を表示する表示部を備えた表示機器とを有し、前記遊技機には、遊技における所定の状態の出現を検出する検出手段と、検出された前記遊技における所定の状態の出現状況情報を、その記録媒体内に保管する遊技情報記憶手段と、ＩＣカードリーダーライター（Ｒ／Ｗ）と、読み込み書き込みの時間的な指示を行う時間指示部とを備えていることを特徴とするものである。
そして、上記の遊技機におけるＩＣカード利用システムであって、前記表示機器がＰＣ（パーソナルコンピュータ）、ＰＤＡ（Ｐｅｒｓｏｎａｌ  Ｄｉｇｉｔａｌ  Ａｓｓｉｓｔａｎｃｅ、携帯情報端末とも言う）、携帯電話のいずれか１であることを特徴とするものである。
【０００５】
本発明の遊技機は、遊技情報を把握し、得られた該遊技情報をＩＣカードのメモリに渡す遊技機であって、遊技における所定の状態の出現を検出する検出手段と、検出された前記遊技における所定の状態の出現状況情報を、その記録媒体内に保管する遊技情報記憶手段と、ＩＣカードリーダーライター（Ｒ／Ｗ）と、読み込み書き込みの時間的な指示制御を行う時間指示部とを備えていることを特徴とするものである。
【０００６】
（作用）
本発明の遊技機におけるＩＣカード利用システムは、このような構成にすることにより、遊技者が、大当たり等の所定の好ましい状態の出現回数情報を容易に把握でき、該出現回数情報利用に関し店側の負担も必要としない、遊技機におけるＩＣカード利用システムの提供を可能としている。
具体的には、遊技情報を把握する遊技機と、遊技機からその遊技情報を受け取るＩＣカードと、該ＩＣカードの遊技情報をＩＣカードからその記憶部に受け取り、あるいはＩＣカード自体をその記憶部として、該情報を表示する表示部を備えた表示機器とを有し、前記遊技機には、遊技における所定の状態の出現を検出する検出手段と、検出された前記遊技における所定の状態の出現状況情報を、その記録媒体内に保管する遊技情報記憶手段と、ＩＣカードリーダーライター（Ｒ／Ｗ）と、読み込み書き込みの時間的な指示を行う時間指示部とを備えていることにより、これを達成している。
即ち、遊技機にＩＣカードのＲ／Ｗを設置することにより、遊技者が個人のＩＣカードを挿入して遊技記録をＩＣカード内に保存できるようにしており、また、表示機器を備えていることより、ＩＣカードが記録している所定の状態の出現状況情報を別媒体の表示機器にデータとして保存し、いつでもどこでも出現状況情報を閲覧できるものとしている。  特に、ＩＣカードに保管したデータをＰＣに取り込む場合には、長期的にデータを取れ、ＰＤＡ、携帯電話等の携帯端末機器に取り込む場合には、いつでも、どこでもデータを確認できる。
また、携帯電話にＩＣカードからの情報を取り込むことで、あるいはＩＣカード自体をその記憶部として、すぐにデータを見ることができる。
遊技における所定の状態の出現状況情報（以下遊技情報とも言う）とは、例えば、遊技機のゲーム数、ゲーム時間、所定の良い状態（特殊役とも言う）の出現回数、出現時間等で、これらを、時間指示部の管理下で、自動的に遊技者の記録媒体であるＩＣカードに保存し、更に、ＩＣカードからその記憶部にこれらの情報を受け取り、あるいは、ＩＣカード自体をその記録媒体として、更には、記録媒体兼処理部として表示部を備えた表示機器により該情報を表示するものである。
特に、このシステムによって、遊技者がデータを取るための手間が大きく省ける。
時間指示部としては、例えば、遊技機の表面部に、所定の状態の出現状況情報を遊技機内に記録開始を指示する記録開始ボタン、ＩＣカードへの書き込みを指示する書き込みボタンを備え、記録開始ボタンを押した後に書き込みボタンを押すことにより、目的とする時間内の所定の状態の出現状況情報をＩＣカード内に取り込むものが挙げられる。
ＩＣカードのＲ／Ｗとしては、ＩＣカードが接触型か非接触型かに合わせ、ＩＣカードに対応するものを備える。
検出手段の遊技における所定の状態の出現を検出する検出方法として、関係する機器部のハード、ソフトの所定の状態を出力として判断する方法や、スロットマシンにおける獲得コイン数や、パチンコにおける獲得玉数の時間的な増減の大小を基に判断する方法が挙げられる。
【０００７】
本発明の遊技機は、このような構成にすることにより、遊技者が、大当たり等の所定の好ましい状態の出現回数情報をＩＣカードにより容易に把握でき、結果として、該出現回数情報利用に関し店側の負担も必要としないで、該現回数情報の管理や表示機器での確認を自由に行うことを可能としている。
【発明の効果】
【０００８】
本発明は、上記のように、遊技者が、大当たり等の所定の好ましい状態の出現回数情報等の遊技情報を容易に把握でき、該遊技情報利用に関し店側の負担も必要としない、遊技機におけるＩＣカード利用システムの提供を可能とした。
本発明のＩＣカード利用システムにより、遊技者が自分のプレイ数、大当たり回数などの遊技情報を記録をするのが簡単になる。
特に、ＩＣカードに保管したデータをＰＣに取り込め、長期的にデータを取れるものとしている。
また、携帯電話にＩＣカードからの遊技情報を取り込むことで、すぐにそれをデータとして見ることができる。
尚、更に付け加えておくと、細かに遊技情報を取ることでゲーム性が上がり遊技者の意欲を上げることができる。
店側としても、その店でより多く遊技してもらった遊技者に対してのポイントサービスをすることもでき、それにより集客効果を期待できる。
尚、現在あるサービスとしては、来店ごとにポイントをためる方法があるが、この方法だと遊技しない人にもポイントがはいってしまうが、本発明のＩＣカード利用システムを用いた場合、ゲーム数によるポイントサービスを行うことができ、より多く遊技した客にサービスポイントを多く与えることができる。
【発明を実施するための最良の形態】
【０００９】
本発明の実施の形態を図に基づいて説明する。
図１は、本発明の遊技機におけるＩＣカード利用システムの１例の概略構成図で、図２は特徴部である所定の状態の出現状況を把握する機能部の遊技機の制御部とを関連付けて示した図で、図３は図２に示す所定の状態の出現状況を把握する機能部の動作フロー図である。
図１、図２中、１０はスロットマシン、１１は表示部、１１ａはリール、１２はコイン投入口、１３はＲ／Ｗ、１４は書き込みボタン、１５は記録開始ボタン、１６は始動レバー、１７はリール停止ボタン、１８は受け皿、２０はＩＣカード、３０はＲ／Ｗ、４０は表示機器、４１はＰＣ、４２はＰＤＡ、４３は携帯電話、１１０は制御部、１２１は検出手段、１２２は遊技情報記憶手段、１２３は時間指示部、１２４はＲ／Ｗである。
先ず、本発明の遊技機におけるＩＣカード利用システムの実施の形態の１例を図１に基づいて説明する。
本例の遊技機におけるＩＣカード利用システムは、スロットマシン遊技機においてＩＣカードを利用したＩＣカード利用システムで、遊技情報を把握するスロットマシン１０と、該スロットマシン１０からその遊技情報を受け取るＩＣカード２０と、該ＩＣカード２０の遊技情報をＩＣカードからその記憶部に受け取り、あるいはＩＣカード自体をその記憶部として、該情報を表示する表示部を備えた表示機器４０とからなる。
そして、スロットマシン１０には、図２示すように、所定の状態の出現状況を把握する機能部として、遊技における所定の状態の出現を検出する検出手段１２１と、検出された前記遊技における所定の状態の出現状況情報を保管する遊技情報記憶手段１２２と、読み込み書き込みの時間的な指示制御を行う時間指示部１２３とを備え、更に、遊技情報をＩＣカード２０側に受け渡すためのＩＣカードリーダーライター（Ｒ／Ｗ）１２４を備えている。
図１の点線矢印Ａ１に示すように、スロットマシン１０のＲ／Ｗ（１３）部にて、ＩＣカード２０は、遊技情報記憶手段（図２の１２２）から遊技情報を受け取る。
また、図１点線矢印Ａ２に示すように、Ｒ／Ｗ（１３）にて、表示機器４０は、遊技情報をＩＣカード２０からその記憶部に受け取る。
あるいは、表示機器４０は、ＩＣカード自体をその記憶部として扱う。
【００１０】
図２に示すように、所定の状態の出現状況を把握する機能部としての、検出手段１２１と、遊技情報記憶手段１２２と、時間指示部１２３、および、遊技情報をＩＣカード２０側に受け渡すためのＲ／Ｗ（１２４）は、スロットマシン１０のこれら以外の各部をも関連付けて制御する制御部１１０の管理下で、制御されて機能するものである。
本例の遊技機におけるＩＣカード利用システムにおいては、検出部１２１は各リール１１１ａの絵柄、文字の配列状態を把握し、所定の状態である当りを判断し、遊技情報記憶手段１２２は、検出部１２１はの判断結果に基づき、ＲＡＭ等の記録媒体内に遊技情報を記録し、時間指示部１２３は遊技情報の抽出時間を制御し、Ｒ／Ｗ（１２４）は技情報記憶手段１２２に抽出された抽出時間内の遊技情報をＩＣカード側に受け渡しを行う。
各部はいずれも、ハードソフト的に構成されている。
尚、制御部１１０は、ＣＰＵとプログラムや固定データが格納されるＲＯＭ、ワークエリアとして用いられるＲＡＭあるいは、他のメモリ（点線部で示す）等とを備え、各部を関連付けて機能させる。
【００１１】
ここで、簡単に、スロットマシン１０の図２に示す、検出手段１２１と、遊技情報記憶手段１２２と、時間指示部１２３、およびＲ／Ｗ（１２４）を用いた、ＩＣカード２０への遊技情報書き込み動作を、図３に示す１例のフロー図の中で、簡単に説明しておく。
スロットマシン１０に電源が入り、遊技が行える状態になる。
この段階では、所定のコインを入れることにより、通常の、遊技情報を取得しない状態でスロットマシンは使用できる。
時間指示部１２３の記録開始ボタン１５をＯＮとすると（Ｓ１１）、これに基づき、以下のような手順で、記録部１２２は、所定の状態（ここでは当りを言う）の出現状況をデータとして把握する。
先ず、記録開始ボタン１５をＯＮ時点を初回として、Ｎ＝１としておく。（Ｓ１２）
次いで、所定のコインを投入し（Ｓ１３）、使用できる状態とし、始動レバー１６を動作させると（Ｓ１４）、各リール１１ａが回転する。
この後、順に、３つのリール停止ボタン１７を押し、順に、対応するリール１、リール２、リール３を停止する（Ｓ１５〜Ｓ１７）。
次いで、この状態の３つのリールの絵柄や文字の配列状態を判定する。（Ｓ１８）
検出部１２１はハードソフト的に３つのリールの絵柄や文字の配列状態を把握して、当りか否かを判断する。
ここでは、３つのリールの絵柄や文字がそろった状態が当りとなる。
次いで、当りである場合には、遊技情報記憶手段１２２により、その記録媒体に、回数Ｎ、時刻、コイン数等の遊技情報を書き込みを行い（Ｓ１９〜Ｓ２０）、時間指示部１２３の書き込みボタンがＯＮでない場合には、Ｎ＝Ｎ＋１として、同様に、上記Ｓ１３〜Ｓ１８迄の処理を行い、書き込みボタンがＯＮである場合には、これまで記憶部１２２に書き込まれた内容を、Ｒ／Ｗ１２４を介してＩＣカード２０に書き込んでから、ＩＣカード２０への遊技情報書き込み動作を終了する。（Ｓ２３）
また、当りでない場合には、書き込みは行わず、時間指示部１２３の書き込みボタンがＯＮでない場合には、Ｎ＝Ｎ＋１として、同様に、上記Ｓ１３〜Ｓ１８迄の処理を行い、書き込みボタンがＯＮである場合には、これまで記憶部１２２に書き込まれた内容を、Ｒ／Ｗ１２４を介してＩＣカード２０に書き込んでから、ＩＣカード２０への書き込み作業を終了する。（Ｓ２３）
Ｎ＝２以降についても、上記と同様の処理フローを行う。
本例では、記録開始ボタン１５をＯＮにすることにより、スロットマシン１０の記憶部１２２への遊技情報の書き込みが開始を指示し、書き込みボタン１４をＯＮにすることにより、それまで記憶部１２２に書き込まれた内容を、Ｒ／Ｗ（１２４）を介してＩＣカード２０に書き込んでから、ＩＣカード２０への遊技情報書き込み動作を終了する。
【００１２】
先にも図１について述べたように、この後、ＩＣカード２０からＲ／Ｗ（１３）を介してＰＣ（４１）、ＰＤＡ（４２）、携帯電話（４３）等の表示機器４０の記憶部に、遊技情報が読み込まれて、遊技情報の表示や処理を行うことができる。
あるいは、ＩＣカード２０自体を記憶部、更には、記憶部と処理部として、表示機器に遊技情報を表示することもできる。
このようにして、本例のシステムにおいては、遊技者個人が有効に利用できる遊技情報を得ることができ、更に、店側にも情報提供に対する負担はほとんどない。
また、上記本例の遊技機におけるＩＣカード利用システムは、遊技機をスロットマシンとする場合のものであるが、遊技機をパチンコとした場合には、それに対応した検出部や時間指示部を設ければ、同様に、その遊技情報を得ることができる。
【図面の簡単な説明】
【００１３】
【図１】本発明の遊技機におけるＩＣカード利用システムの１例の概略構成図である。
【図２】特徴部である所定の状態の出現状況を把握する機能部の遊技機の制御部とを関連付けて示した図である。
【図３】図２に示す所定の状態の出現状況を把握する機能部の動作フロー図である。
【符号の説明】
【００１４】
１０            スロットマシン
１１            表示部
１１ａ          リール
１２            コイン投入口
１３            Ｒ／Ｗ
１４            書き込みボタン
１５            記録開始ボタン
１６            始動レバー
１７            リール停止ボタン
１８            受け皿
２０            ＩＣカード
３０            Ｒ／Ｗ
４０            表示機器
４１            ＰＣ
４２            ＰＤＡ
４３            携帯電話
１１０          制御部
１２１          検出手段
１２２          記憶手段
１２３          時間指示部
１２４          Ｒ／Ｗ
【図１】
2006014968.tif 000003
【図２】
2006014968.tif 000004
【図３】
2006014968.tif 000005